(57)【要約】【課題】既存の端局設備を活用しつつ、伝送容量を増大する。【解決手段】光送信端局１０では、既存光送信器２０と分散等化ファイバ２２の間に追加送信設備２４を接続する。光受信端局１４では、分散等化ファイバ５０と既存光受信器５４ｂとの間に追加受信設備５４を接続する。追加送信設備２４では、偏波制御器２６が、既存光送信器２０の出力信号光Ｓｅの偏波を追加光送信器３０の出力信号光Ｓａの偏波と直交する方向に制御する。偏波合波器２８は、信号光Ｓａ，Ｓｅを互いに直交する偏波で多重する。追加受信設備５４では、偏波制御器５６が、偏波分離器５８が既存光送信器２０の出力信号光と追加光送信器３０の出力信号光を分離できるように、入力信号の偏波を制御する。偏波分離器５８で分離された一方の偏波の信号光は、追加光受信器６０に供給され、他方の偏波の信号光は、既存光受信器５２に供給される。【選択図】  図１
2005020151.tif 000002
【特許請求の範囲】
【請求項１】
光伝送路（１２）と、
既存信号光（Ｓｅ）を出力する既存光送信器（２０）、及び、当該既存光送信器（２０）の出力と光伝送路（１２）の一端とを接続する第１の伝送路接続装置（２２）を具備する光送信端局（１０）と、
既存光受信器（５２）、及び、当該光伝送路（１２）の他端と当該既存光受信器（５２）の入力とを接続する第２の伝送路接続装置（５０）を具備する光受信端局（１４）
とからなる光伝送システムをアップグレードする方法であって、
第１の入力端子（２４ａ）、第１の出力端子（２４ｂ）、直線偏波の追加の信号光（Ｓａ）を出力する追加光送信器（３０）、当該第１の入力端子（２４ａ）から入力する信号光の偏波を制御する第１の偏波制御器（２６）、当該第１の偏波制御器（２６）の出力光と当該追加光送信器（３０）の出力する当該追加の信号光（Ｓａ）を異なる偏波で多重する偏波合波器（２８）、当該偏波合波器（２８）から出力される合波光を２分割し、その一方の成分を当該第１の出力端子（２４ｂ）に供給する第１の分波器（３６）、及び、当該第１の分波器（３６）から出力される他方の成分から当該追加の信号光（Ｓａ）の偏波に直交する偏波成分の光パワーを検出し、その光パワーが最大になるように当該第１の偏波制御器（２６）を制御する第１の制御装置（４０，４２，４４）を有する追加送信設備（２４）を用意するステップと、
当該既存光送信器（２０）と当該第１の伝送路接続装置（２２）の間に当該追加送信設備（２４）を挿入して、当該既存光送信器（２０）の出力を当該第１の入力端子（２４ａ）に接続すると共に、当該第１の出力端子（２４ｂ）を当該第１の伝送路接続装置（２２）に接続するステップと、
第２の入力端子（５４ａ）、第２の出力端子（５４ｂ）、当該第２の入力端子（５４ａ）から入力する信号光の偏波を制御する第２の偏波制御器（５６）、当該第２の偏波制御器（５６）の出力光を２つの直交する偏波成分に分離する偏波分離器（５８）、当該偏波分離器（５８）で分離された一方の偏波成分の信号光を受信する追加光受信器（６０）、当該偏波分離器（５８）で分離された他方の偏波成分を２分割し、その一方の成分を当該第２の出力端子（５４ｂ）に供給する第２の分波器（６４）、及び、当該第２の分波器（６４）から出力される他方の成分の光パワーを検出し、その光パワーが最大になるように当該第２の偏波制御器（５６）を制御する第２の制御装置（７０，７２）を具備する追加受信設備（５４）を用意するステップと、
当該第２の伝送路接続装置（５０）と当該既存光受信器（５２）の間に当該追加受信設備（５４）を挿入して、当該第２の伝送路接続装置（５０）の出力を当該第２の入力端子（５４ａ）に接続すると共に、当該第２の出力端子（５４ｂ）を当該既存光受信器（５２）の入力に接続するステップ
とを具備することを特徴とする光伝送システムのアップグレード方法。
【請求項２】
当該第１の伝送路接続装置が分散等化ファイバ（２２）を具備し、当該第２の伝送路接続装置が分散等化ファイバ（５０）を具備する請求項１に記載の方法。
【請求項３】
当該第１の伝送路接続装置が分散等化ファイバ（２２）及び波長多重装置（８０）を具備し、当該第２の伝送路接続装置が波長分離装置及び分散等化ファイバ（５０）を具備する請求項１に記載の方法。
【請求項４】
更に、当該第１の伝送路接続装置（２２）と当該光伝送路（１２）との間に、信号光を所定周波数で回転する偏波回転装置（８２）を配置するステップを具備する請求項１に記載の方法。
【請求項５】
当該偏波回転装置（８２）の偏波回転周波数が０．１乃至０．００１Ｈｚの範囲である請求項４に記載の方法。
【請求項６】
当該追加光送信器（３０）と当該偏波合波器（２８）の間、及び、当該偏波合波器（２８）と当該第１の分波器（３６）の間が偏波面保存光伝送路で接続され、当該第１の分波器（３６）が偏波保持型分波器からなる請求項１に記載の方法。
【請求項７】
入力端子（２４ａ）と、
出力端子（２４ｂ）と、
直線偏波の追加の信号光（Ｓａ）を出力する追加光送信器（３０）と、
当該入力端子（２４ａ）から入力する信号光（Ｓｅ）の偏波を制御する偏波制御器（２６）と、
当該偏波制御器（２６）の出力光と当該追加光送信器（３０）の出力する追加の信号光（Ｓａ）を異なる偏波で多重する偏波合波器（２８）と、
当該偏波合波器（２８）から出力される合波光を２分割し、その一方の成分を当該出力端子（２４ｂ）に供給する分波器（３６）と、
当該分波器（３６）から出力される他方の成分から当該追加の信号光（Ｓａ）の偏波に直交する偏波成分の光パワーを検出し、その光パワーが最大になるように当該偏波制御器（２６）を制御する制御装置（４０，４２，４４）
とを具備することを特徴とする追加送信設備。
【請求項８】
既存信号光（Ｓｅ）を出力する既存光送信器（２０）、及び、当該既存光送信器（２０）の出力と光伝送路（１２）の信号入力端とを接続する伝送路接続装置（２２）を具備する光送信端局（１０）のアップグレードするために使用され、当該既存光送信器（２０）と当該伝送路接続装置（２２）の間に挿入され、当該既存光送信器（２０）の出力を当該入力端子（２４ａ）に接続し、当該出力端子（２４ｂ）を当該伝送路接続装置（２２）に接続する請求項７に記載の追加送信設備。
【請求項９】
当該伝送路接続装置が分散等化ファイバ（２２）を具備する請求項８に記載の追加送信設備。
【請求項１０】
当該伝送路接続装置が分散等化ファイバ（２２）及び波長多重装置（８０）を具備する請求項８に記載の追加送信設備。
【請求項１１】
更に、光伝送路（１２）の直前に配置され、信号光を所定周波数で回転する偏波回転装置（８２）を具備する請求項７に記載の追加送信設備。
【請求項１２】
当該追加光送信器（３０）と当該偏波合波器（２８）の間、及び、当該偏波合波器（２８）と当該分波器（３６）の間が偏波面保存光伝送路で接続され、当該分波器（３６）が偏波保持型分波器からなる請求項７に記載の追加送信設備。
【請求項１３】
入力端子（５４ａ）と、
出力端子（５４ｂ）と、
当該入力端子（５４ａ）から入力する信号光の偏波を制御する偏波制御器（５６）と、
当該偏波制御器（５６）の出力光を２つの直交する偏波成分に分離する偏波分離器（５８）と、
当該偏波分離器（５８）で分離された一方の偏波成分の信号光を受信する追加光受信器（６０）と、
当該偏波分離器（５８）で分離された他方の偏波成分を２分割し、その一方の成分を当該出力端子（５４ｂ）に供給する分波器（６４）と、
当該分波器（６４）から出力される他方の成分の光パワーを検出し、その光パワーが最大になるように当該偏波制御器（５６）を制御する制御装置（７０，７２）
とを具備することを特徴とする追加受信設備。
【請求項１４】
既存光受信器（５２）、及び、当該光伝送路（１２）の信号出力端と当該既存光受信器（５２）の入力とを接続する伝送路接続装置（５０）を具備する光受信端局（１４）をアップグレードするために使用され、当該光接続装置（５０）と当該既存光受信器（５２）の間に挿入され、当該伝送路接続装置（５０）の出力を当該入力端子（５４ａ）に接続し、当該出力端子（５４ｂ）を当該既存光受信器（５２）の入力に接続する請求項１２に記載の追加受信設備。
【請求項１５】
当該接続装置が分散等化ファイバ（５０）を具備する請求項１３に記載の追加受信設備。
【請求項１６】
当該接続装置が波長分離装置及び分散等化ファイバ（５０）を具備する請求項１３に記載の追加受信設備。
【発明の詳細な説明】
【０００１】
【発明の属する技術分野】
本発明は、偏波多重技術により光伝送システムをアップグレードする方法、並びにアップグレード用の光送信設備及び光受信設備に関する。
【０００２】
【従来の技術】
光伝送路の伝送容量を増大するアップグレード技術として、誤り訂正符号の利得増大を活用する方法が知られている。この方法では、光伝送路の伝送容量の増加による伝送特性の劣化と、誤り訂正符号の訂正能力の向上とを考慮して、システムを再設計する必要がある。
【０００３】
また、互いに直交する偏波を利用して、伝送容量を増大する方法は周知である。この偏波多重技術により、基本的には、光伝送システムの設計を変更できずに、伝送容量を２倍にできる化可能性がある。
【０００４】
【発明が解決しようとする課題】
偏波多重技術を利用する場合、各光学装置及びそれらの間の光路は、基本的に、偏波面を保持するようになっていなければならない。
【０００５】
しかし、偏波多重技術を使用しない既存の光伝送システムでは、端局装置内の各光路及び光学装置は、偏波面を保存できるようにはなっていない。
【０００６】
光送信端局及び光受信端局をまるごと、偏波多重技術を使用する光送信端局及び光受信端局に入れ替えれば、簡単であるが、それでは、既存の光送信器及び光受信器が無駄になってしまう。
【０００７】
本発明は、既存の光送信器及び光受信器を活用しつつ偏波多重伝送を実現する、光伝送システムのアップグレード方法、並びにアップグレード用の光送信設備及び光受信設備を提示することを目的とする。
【０００８】
【課題を解決するための手段】
本発明は、光伝送路と、既存信号光を出力する既存光送信器、及び、当該既存光送信器の出力と光伝送路の一端とを接続する第１の伝送路接続装置を具備する光送信端局と、既存光受信器、及び、当該光伝送路の他端と当該既存光受信器の入力とを接続する第２の伝送路接続装置を具備する光受信端局とからなる光伝送システムをアップグレードする方法に関する。
【０００９】
先ず、第１の入力端子、第１の出力端子、直線偏波の追加の信号光を出力する追加光送信器、当該第１の入力端子から入力する信号光の偏波を制御する第１の偏波制御器、当該第１の偏波制御器の出力光と当該追加光送信器の出力する当該追加の信号光を異なる偏波で多重する偏波合波器、当該偏波合波器から出力される合波光を２分割し、その一方の成分を当該第１の出力端子に供給する第１の分波器、及び当該第１の分波器の他方の成分から当該追加の信号光の偏波に直交する偏波成分の光パワーを検出し、その光パワーが最大になるように当該第１の偏波制御器を制御する第１の制御装置を有する追加送信設備を用意する。
【００１０】
当該既存光送信器と当該第１の伝送路接続装置の間に当該追加送信設備を挿入して、当該既存光送信器の出力を当該第１の入力端子に接続すると共に、当該第１の出力端子を当該第１の伝送路接続装置に接続する。
【００１１】
第２の入力端子、第２の出力端子、当該第２の入力端子から入力する信号光の偏波を制御する第２の偏波制御器、当該第２の偏波制御器の出力光を２つの直交する偏波成分に分離する偏波分離器、当該偏波分離器で分離された一方の偏波成分の信号光を受信する追加光受信器、当該偏波分離器で分離された他方の偏波成分を２分割し、その一方の成分を当該第２の出力端子に供給する第２の分波器、及び、当該第２の分波器から出力される他方の成分の光パワーを検出し、その光パワーが最大になるように当該第２の偏波制御器を制御する第２の制御装置を具備する追加受信設備を用意する。
【００１２】
当該第２の光接続装置と当該既存光受信器の間に当該追加受信設備を挿入して、当該第２の伝送路接続装置の出力を該第２の入力端子に接続すると共に、当該第２の出力端子を当該既存光受信器の入力に接続する。
【００１３】
これにより、既存の伝送設備を活用しつつ、直交偏波多重により伝送容量を拡大できる。
【００１４】
本発明に係る追加送信設備は、入力端子と、出力端子と、直線偏波の追加の信号光を出力する追加光送信器と、当該入力端子から入力する信号光の偏波を制御する偏波制御器と、当該偏波制御器の出力光と当該追加光送信器の出力する追加の信号光を異なる偏波で多重する偏波合波器と、当該偏波合波器から出力される合波光を２分割し、その一方の成分を当該出力端子に供給する分波器と、当該分波器の他方の成分から当該追加の信号光の偏波に直交する偏波成分の光パワーを検出し、その光パワーが最大になるように当該偏波制御器を制御する制御装置とを具備することを特徴とする。
【００１５】
本発明に係る追加受信設備は、入力端子と、出力端子と、当該入力端子から入力する信号光の偏波を制御する偏波制御器と、当該偏波制御器の出力光を２つの直交する偏波成分に分離する偏波分離器と、当該偏波分離器で分離された一方の偏波成分の信号光を受信する追加光受信器と、当該偏波分離器で分離された他方の偏波成分を２分割し、その一方の成分を当該出力端子に供給する分波器と、当該分波器から出力される他方の成分の光パワーを検出し、その光パワーが最大になるように当該偏波制御器を制御する制御装置とを具備することを特徴とする。
【００１６】
【実施例】
以下、図面を参照して、本発明の実施例を詳細に説明する。
【００１７】
図１は、本発明の一実施例によりアップグレードされた光伝送システムの概略構成図を示す。アップグレード後の光伝送システムは、光送信端局１０、光伝送路１２及び光受信端局１４からなる。詳細は後述するが、光送信端局１０及び光受信端局１４に、それぞれ、アップグレード用の追加設備２４，５４が追加される。
【００１８】
光送信端局１０は、既存設備として、既存光送信器２０及び分散等化ファイバ２２を具備する。既存の光送信器２０の出力信号光Ｓｅは、直線偏波ではあるものの、その偏波方向は不定である。アップグレード前では、光送信器２０の出力信号光は、分散等化ファイバ２２を介して光伝送路１４に出力される。
【００１９】
アップグレードにより、既存光送信器２０と分散等化ファイバ２２の間に追加送信設備２４が挿入される。即ち、既存光送信器２０の出力を追加送信設備２４の入力端子２４ａに接続し、追加送信設備２４の出力端子２４ｂを分散等化ファイバ２２に接続する。
【００２０】
追加送信設備２４では、既存光送信器２０の出力信号光Ｓｅは、偏波制御器２６を介して偏波合波器（偏光ビームスプリッタ）２８に入力する。偏波制御器２６は、後述する帰還制御により、既存光送信器２０の出力信号光の偏波を、偏波合波器２８の一方の偏波（例えば、Ｐ波）と平行となるように制御する。追加光送信器３０は、直線偏波の追加の信号光Ｓａを出力する。追加光送信器３０の出力信号光Ｓａの波長は、既存光送信器２０の出力信号光Ｓｅの波長と同じであるのが好ましいが、アップグレード前の設計波長の範囲内の波長であればよい。
【００２１】
追加光送信器３０と偏波合波器２８とは、偏波面保存ファイバ３２で光学的に結合される。追加光送信器３０の出力信号光Ｓａが偏波合波器２８にＳ波の偏光方向で印加される。偏波合波器２８は、既存光送信器２０の出力信号光Ｓｅと追加光送信器３０の出力信号光Ｓａを互いに直交する偏波で合波する。
【００２２】
偏波合波器２８の合波出力光は、偏波面保存ファイバ３４を介して偏波保存のモニタカプラ３６に入力する。モニタカプラ３６は、偏波合波器２８の合波出力光のほとんどを出力端子２４ｂに供給し、残りを、偏波面保存ファイバ３８を介して偏光子４０に供給する。
【００２３】
偏光子４０は、モニタカプラ３６からの信号光から追加光送信器３０の出力信号光Ｓａの偏波と直交する偏波成分を抽出し、パワー検出器４２は、偏光子４０で抽出された成分の光パワーを検出する。制御回路４４は、パワー検出器４２で検出されるパワーが最大になるように偏波制御器２６を制御する。この帰還制御により、偏波制御器２６は、既存光送信器２０の出力信号光Ｓｅの偏波方向を、追加光送信器３０の出力信号光Ｓａの偏波方向に直交する方向に制御する。光送信器２０の出力時には偏波方向が不定になっている信号光Ｓｅの偏波方向を、合波器２８の入力点で一定方向になるように、制御できる。これにより、偏波合波器２８には互いに直交する偏波で信号光Ｓｅ，Ｓａが入力するので、偏波合波器２８により、信号光Ｓｅと信号光Ｓａを互いに直交する偏波で多重できる。
【００２４】
このようにして、互いに直交する偏波で多重された信号光Ｓｅと信号光Ｓａからなる信号光が、分散等化ファイバ２２に印加され、光伝送路１２を伝搬して光受信端局１４に入力する。
【００２５】
光受信端局１４は、既存の設備として、分散等化ファイバ５０と既存光受信器５２を具備する。アップグレードまでは、分散等化ファイバ５０の出力光が、既存光り受信器５２に入力する。アップグレードのために、分散等化ファイバ５０と既存光受信器５２の間に追加受信設備５４を挿入する。即ち、分散等化ファイバ５０の出力端を追加受信設備５４の入力端子５４ａに接続し、追加受信設備５４の出力端子５４ｂを既存光受信器５２の入力に接続する。
【００２６】
光伝送路１２を伝搬した信号光は、分散等化ファイバ５０を介して追加受信設備５４の入力端子５４ａに入力する。追加受信設備５４内では、分散等化ファイバ５０から入力した信号光は、偏波制御器５６を介して偏波分離器（偏光ビームスプリッタ）５８に入力する。
【００２７】
偏波分離器５８は、偏波制御器５６の出力光を互いに直交する偏波成分（Ｐ波及びＳ波）に分離し、一方の偏波成分（例えば、Ｓ波成分）を追加光受信装置６０に供給し、他方の偏波成分（例えば、Ｐ波成分）を、偏波面保存ファイバ６２を介してモニタカプラ６４に供給する。
【００２８】
モニタカプラ６４は、偏波分離器５８からの一方の偏波成分（Ｐ波成分）のほとんどを出力端子５４ｂに供給し、残りを、パワー検出器７０に供給する。偏波分離器５８からの一方の偏波成分（Ｐ波成分）のほとんどは、出力端子５４ｂを介して既存光受信器５２に入力する。
【００２９】
パワー検出器７０は、モニタカプラ６４から入力する光のパワーを検出し、検出結果を制御回路７２に供給する。制御回路７２は、パワー検出器７０により検出される光パワーが最大になるように偏波制御器５６を制御する。この帰還制御により、偏波制御器５６は、分散等化ファイバ５０からの直交偏波多重された信号光Ｓｅ，Ｓａの一方が偏波分離器５８のＰ波成分になり、他方がＳ波成分となるように、分散等化ファイバ５０の出力光の偏波方向を制御する。偏波制御器５６の調整により、偏波分離器５８が信号光Ｓｅを主としてモニタカプラ６４に、信号光Ｓａを主として追加光受信器６０に供給するように、設定できる。
【００３０】
このような構成により、直交偏波多重された信号光Ｓａ，Ｓｅのうちの一方の信号光、例えば信号光Ｓａが追加光受信器６０に供給され、他方の信号光、例えば信号光Ｓｅがモニタカプラ６４及び出力端子５４ｂを介して既存光受信器５２に供給される。
【００３１】
このように、本実施例によれば、既存の信号光Ｓａを既存光送信器２０から既存光受信器５２に伝送する既存の信号伝送状態を維持しつつ、偏波多重により、追加の信号光Ｓａを追加光送信器３０から追加光受信器６０に伝送することができる。即ち、既存の端局設備を活用しつつ、追加送信設備２４及び追加受信設備５４の追加により、伝送容量を２倍にできる。
【００３２】
既存の光送信器２０と光伝送路１２を接続する伝送路接続装置として、分散等化ファイバ２２を例示した。そのような伝送路接続装置として、他に、波長多重化装置、監視信号重畳装置及び光アンプ等並びにこれらの組み合わせがある。
【００３３】
光伝送路１２の前段に波長多重装置を配置し、光伝送路１２の後段に波長分離装置を配置することで、図１に示す伝送システムは、波長分割多重（ＷＤＭ）伝送に拡張される。本実施例がそのようなＷＤＭ伝送システムにも適用可能であることは明らかである。この場合、光送信端局の伝送路接続装置は、分散等化ファイバ及び波長多重装置からなり、光受信端局の伝送路接続装置は、波長分離装置及び分散等化ファイバからなる。更に、伝送路接続装置は、光アンプを含んでもよい。
【００３４】
図２は、本発明の第２実施例の光送信端局の概略構成ブロック図を示す。図１と同じ構成要素には同じ符号を付してある。図２では、ＷＤＭ伝送のための波長多重装置８０が、分散等化ファイバ２２と光伝送路１２の間に配置されている。波長多重装置８０は、異なる波長λ１〜λｎの信号光を多重する。図２には、波長λ１の光送信設備のみを図示してあるが、他の波長λ２〜λｎについても、同様の構成の光送信設備が用意されている。本実施例では、追加送信設備２４に加えて更に、波長多重装置８０と光伝送路１２との間に偏波回転装置８２を追加する。受信端局の構成は、図１の光受信端局１４と同じでよい。
【００３５】
偏波多重伝送では、直交偏波間のクロストークによる伝送特性の劣化が懸念される。光伝送路を構成する要素は偏波依存性を持つ、例えば、光ファイバは偏波モード分散（ＰＭＤ）を持ち、光部品は偏波依存損失（ＰＤＬ）を持つ。光信号の偏光度は、これらの偏波依存性により劣化し、その結果として、直交偏波間にクロストークが生じる。ＰＭＤは、光ファイバに加わる温度変化及び応力等によって変動するので、クロストークによる劣化は、常に一定の状態ではなく、ある時には少なく、また、別の時には大きくなるというように、時間的に変動する。
【００３６】
伝送路の偏波分散が大きいと、偏波の直交度が劣化し、異なる偏波のチャネル間にクロストークが発生する。データ伝送としては、大きなクロストークによる激しい伝送特性の劣化が長時間継続することが、最も望ましくない。偏波分散の大きさは、伝送路に入力される光信号の偏波状態に依存する。そこで、図２に示す実施例では、偏波多重信号光の偏波状態を低速に回転する偏波回転装置８２を光伝送路１２の直前に配置する。偏波回転装置８２により、光伝送路１２上で信号光の偏波は時間的にゆっくりと回転する。この結果、激しい劣化が長時間継続することを防止できる。
【００３７】
具体的には、偏波回転装置８２は、入力信号光の偏波を数十Ｈｚ以下、好ましくは、０．１〜０．００１Ｈｚ程度の周期で回転する。このような低速の回転であれば、光受信端局１４の偏波制御器５６も十分に追従可能である。ちなみに、通常の低速偏波スクランブラは、数ｋＨｚ乃至数ＭＨｚのオーダーで偏波を回転するが、本実施例の偏波回転装置８２はそれよりも格段に周期が長い。ＩＴＵ−Ｔで勧告されている伝送路の通信品質は、１５分の時間平均で規定される。従って、１５分内で伝送特性の継続的な劣化状態が発生するのを避ければよい。そこで、本実施例では、偏波回転周波数の下限を９００秒分の１、即ち、０．００１Ｈｚとした。また、ＩＴＵ−Ｔ基準は、非常に誤りの多い時間（Ｓｅｖｅｒｌｙ  Ｅｒｒｏｒｅｄ  Ｓｅｃｏｎｄ）の発生確率が１０−４程度以下であることを要求する。従って、偏波回転の最大周波数は、この逆数の１０ｋＨｚになる。これらの結果、偏波回転装置８２の偏波回転周波数は１ｍＨｚ以上、１０ｋＨｚ以下である。
【００３８】
分散等化装置として分散等化ファイバ２２，５０を例示したが、ファイバでなくグレーティングを使用する構成のものでもよいことは明らかである。
【００３９】
【発明の効果】
以上の説明から容易に理解できるように、本発明によれば、既存の伝送装置を利用しつつ、伝送容量をほぼ２倍に増強することができる。即ち、低コストで伝送容量を増強できる。
【図面の簡単な説明】
【図１】本発明の一実施例の概略構成ブロック図である。
【図２】光送信端局の変更例の概略構成ブロック図である。
【符号の説明】
１０：光送信端局
１２：光伝送路
１４：光受信端局
２０：既存光送信器
２２：分散等化ファイバ
２４：追加送信設備
２４ａ：入力端子
２４ｂ：出力端子
２６：偏波制御器
２８：偏波合波器（偏光ビームスプリッタ）
３０：追加光送信器
３２，３４：偏波面保存ファイバ
３６：偏波保存モニタカプラ
３８：偏波面保存ファイバ
４０：偏光子
４２：パワー検出器
４４：制御回路
５０：分散等化ファイバ
５２：既存光受信器
５４：追加受信設備
５４ａ：入力端子
５４ｂ：出力端子
５６：偏波制御器
５８：偏波分離器（偏光ビームスプリッタ）
６０：追加光受信器
６２：偏波面保存ファイバ
６４：モニタカプラ
７０：パワー検出器
７２：制御回路
８０：波長多重装置
８２：偏波回転装置
【図１】
2005020151.tif 000003
【図２】
2005020151.tif 000004